(57)【要約】【課題】  従来のプリンタドライバが行う色処理を中心とした水平ラスターデータや垂直カラムデータをインターネットサーバー上に送出して印刷データを作成する。作成された印刷データはサーバーよりインターネット網を通じて最終的にプリンタに送出され印刷を行う。特に、テレビ等、家電等データ処理部分に特化していない機器に組み込むことにより安価にプリントシステムならびにサービスを提供する。【解決手段】  家電製品内に内蔵もしくは接続されたインターネットブラウザコントロール部やノートＰＣなどの端末よりインターネットに接続し、印刷制御ブラウザ上でオペレータが実際に用いる記録装置機種名を選択し、さらに、選択した記録装置機種に応じた印字品位、色処理などの記録方法の設定を行い、かつ前記記録方法情報と別途指定された記録の元データより、インターネット上の特定のサーバー上で印刷データを作成して、端末等に送信し、さらに最終的にプリンタに送出して印字する。その際印刷データの印刷ボリュームを算出することにより、システム／サービスの運用に用いる。【選択図】        図２
2005038147.tif 000002
【特許請求の範囲】
【請求項１】
インターネット上のウェブサーバーを用いて記録データを生成するシステムに於いて、
インターネット網上の特定のウェブサーバー内に、
データ受信部と、記録装置選択部と、記録方法設定部と、受信したデータと選択された記録装置と設定された記録方法の情報より記録データする記録データ作成部と、記録ボリューム算出部と、前記作成された記録データを送信する記録データ送信部とを有することを特徴とする記録データ生成システム。
【請求項２】
前記記録データ生成システムであって、前記記録ボリューム算出部での記録ボリュームとは、前記記録データ作成部より作成された記録データより印刷枚数であることを特徴とした請求項１記載の記録データ生成システム。
【請求項３】
前記記録データ生成システムであって、前記記録ボリューム算出部での記録ボリュームとは、前記記録データ作成部より作成された記録データの総データ量であることを特徴とした請求項１記載の記録データ生成システム。
【請求項４】
前記記録データ生成システムであって、前記記録ボリューム算出部は、現在処理中に生成された記録データに対する記録ボリュームと、これまでに算出された記録ボリュームと今回算出された記録ボリュームとの総和である累積記録ボリュームとを算出すること特徴とした請求項１乃至３のいずれかに記載の記録データ生成システム。
【発明の詳細な説明】
【技術分野】
【０００１】
本発明は印字記録装置及び記録データ作成方法に関し、特に、広域に渡るインターネット環境もしくはＷｅｂサイト上で効率良く記録装置用の印字データを作成して端末の印字記録装置に記録データをフィードバックするための、記録データ生成システム、特にインクジェットプリンタを考慮したシステムに関する。
【背景技術】
【０００２】
従来、インクジェットプリンタを代表とする汎用カラープリンタやマルチファンクションプリンタなどを代表とする記録装置で印字データを出力するには、一般的にパーソナルコンピュータ等のデータ転送装置が必要であった。こうしたデータ転送装置は、個人や家庭オフィス（ＳＯＨＯ）向けに使用されている事が多く、又、データ転送装置とネットワーク（無線、有線）で接続され、さらに多くの使用用途が考えられてきている。
【０００３】
この様なインクジェットプリンタを代表とするカラープリンタの印刷データはパーソナルコンピュータ等と接続されたモニター上で表現された連続色調のカラーデータを通常はラスタービットマップフォーマットで記録されている。
【０００４】
これらのラスターデータは、赤（Ｒ），緑（Ｇ）、青（Ｂ）の３原色として表現されることが多い。例えば、代表的なＭｉｃｒｏｓｏｆｔ社のオペレーティングシステム（Ｗｉｎｄｏｗｓ（登録商標）９５／９８／ＭＥ／ＮＴ／２０００等）ではモニターをもとにアプリケーションソフトウエアで作成された画像はＧＤＩ（Ｇｒａｐｈｉｃｓ  Ｄｅｖｉｃｅｓ  Ｉｎｔｅｒｆａｃｅの略で、線・円・多角形・テキストなどを描画するための標準機能）を介してＲＧＢ２４ビット（各８ビット×３）データとして出力されている。こうしてシステムが出力したＲＧＢ２４ビットデータ（１６００万色カラーデータとも呼ばれている）を元にドライバソフトウエアがインクジェットプリンタ等の記録装置へ最終的に出力する為の印刷データを作成するのが一般的である。
【０００５】
しかしながら、該ドライバーソフトウエアからプリンタへ出力するデータは周知の通り加法混色（ＲＧＢ）及び減法混色（ＣＭＹ）の原理（ＲＧＢの光の量を変化させるためには補色であるＣＭＹの量を変化する必要がある。）から考えるとＲＧＢデータのままだと不都合があるので、シアン（Ｃ）、マゼンタ（Ｍ）、イエロー（Ｙ）に変換する必要がある。又、実際にはインクジェットプリンタ等には黒インクを装着して黒色をメディア上で表現している。何故ならＣＭＹの各インク（インクジェットプリンタの場合）は化学的に合成されたものであり、理論上のＲＧＢとは正確な補色の関係ではなく、又、インクジェットプリンタの着弾精度の悪さにより各色のずれが生じ、ＯＤ値（オプティカルディンティシイ）の高い黒を表現することが難しい事と、黒を表現するのにＣＭＹの３色を必要としないコストの観点から単独の黒インクを使用していることが多い。その為に、ドライバ内ではＲＧＢ２４ビットから黒抽出を行う処理を施し、ＣＭＹ及びＫ（黒）連続色調のデータを作成する技術を活用してきている。
【０００６】
一方、印刷データを受け取る側の該インクジェットプリンタは連続色調（多値）を印刷することが困難である。一般的には各画素に１つの色ドットを着弾させるか否かで表現するバイナリプリンタである。この様に最終的に該インクジェットプリンターへ出力されるデータはＣＭＹＫのバイナリ−データであり、ドライバソフトウエア内でＣＭＹＫの連続色調のデータより２値化処理が行われている。
【０００７】
以上のような従来の印刷制御システムではその処理を行うため大量のメモリ（通常はホストコンピュータ内に内蔵）が必要であり、又、印字データを表示するためのディスプレイ等の表示装置も必要となるので、ホストコンピュータ無しでの印刷シーンの提供の機会はごく限られたものであった。
【０００８】
しかしながら最近では、インターネットを身近に簡単に扱えるように、ＷｅｂＴＶシステムなる、一般のテレビにインターネット機能を付属させ、インターネット機能より直接プリンタに印字命令、データを送出できる製品があるが、これもテレビに、図１で示されるようにＷｅｂＴＶＢｏｘ８０１等の装置が必要であった。ＷｅｂＴＶＢｏｘ８０１は家庭にある、ＴＶ（テレビ）８０２に接続して公衆回線を介してインターネット網８０３よりのルーターやＨｕｂ８０４を経由してきた情報を受け取ったり、送出したりする役目を担い、ＷｅｂＴＶＢｏｘ８０１の内部の構成としては、Ｗｉｎｄｏｗｓ（登録商標）ＣＥやＯｐｅｎＴＶ等のＯＳ、Ｅ−ｍａｉｌやブラウザをつかさどるアプリケーション、そして表示用及びプリント用のＨＴＭＬエンジン等のレンダラー（解析部）、さらに印刷データ作成用メモリ及び印刷データ送受信用メモリにより構成されているのが一般的である。又、プリンタ８０５とのインターフェースを兼ね備え、レンダラーで作成されたラスターデータをプリンタ８０５に送出して印刷している。該ＷｅｂＴＶＢｏｘ８０１は家庭で簡単にインターネットを扱えるように計らったものであるが、プリンタ側にとっての機能は通常のホストＰＣと同等である。
【０００９】
このように、何れにしてもプリンタでの印刷にはＨｏｓｔＰＣやＷｅｂＴＶＢｏｘ等、プリンタにとってマスターになり得る装置が必要であり、多数の画像処理や大量のメモリ等が必要であった。また一方で、ノート型ＰＣ／ＰＡＤ／携帯電話など、携帯端末の普及に伴い、任意の場所でプリント出力の需要も高まっている一方、それらにプリンタを接続し、印刷を行うにはやはり大量のメモリが必要となる。
【特許文献１】特開２００２−２７３６９号公報
【発明の開示】
【発明が解決しようとする課題】
【００１０】
本発明の課題は、従来のプリントシステム、つまり印刷する為に必要な大量のメモリを必要とせずに、簡易な印刷環境を提供しようとするものである。
【００１１】
本発明では、インターネットの双方向通信技術やＷｅｂサーバー上でのデータ処理能力を十分に活用して新しい印刷技術に反映して、一つの新しいシステムを提供して、従来までのプリンタ対ＨｏｓｔＰＣといった１対１の考え方を踏襲せずに、インターネットが接続できる多方面の場面でプリンタを活用しようとするものである。
【００１２】
特に、今後、普及が予想されるＤｅｇｉｔａｌテレビなどの家電ではインターネット装置内蔵型が主流となると予想もされていて、周辺機器としてのプリンタを接続する機会も増えていくと考えられている。本発明の課題はこうしたいわゆるＮｏｎＰＣ型の家電（Ｉｎｔｅｒｎｅｔ  ａｐｐｌｉａｎｃｅ−インターネットアプライアンスとも呼ばれ、以下ＩＡとも呼ぶ）や装置に対して、安価で単純にＷｅｂブラウザ画面等のプリントの機会を提供できるシステムである。特に、高解像度の印刷の場合はドライバソフトウエアが必要となる膨大なメモリを低減できるシステムを提供出来る。
【００１３】
又、ホストＰＣを使用した印刷システムでもＰＣ内にインストールされるプリンタドライバのデータ処理をインターネット上のサーバーを活用することより、ＰＣ資源の負荷の低減（メモリ等）や、プリンタドライバのインストールやドライババージョンの更新を行うことなく印刷システムを提供可能となりユーザにとっての簡易性の提供も技術の課題の一つである。
【００１４】
さらには、このような環境下でユーザにとってＰＣ系と変わらぬ快適で信頼性の高い印刷環境を提供することにある。
【００１５】
さらには、ノートＰＣやＰＡＤなどの携帯用ＩＡから外出先のプリンタで印刷を行う場合、必ずしも外出先にあるプリンタが普段自分が用いているプリンタと同一機種では無いことがある。このような場合プリンタドライバを新たにインストールする手間が発生するという問題がある。さらに複数の外出先毎に異なった機種のプリンタであること考えると、その度毎にプリンタドライバのインストールを行うことは、その手間だけでなく、複数のプリンタドライバのための記憶部の容量が必要となるという問題が発生する。
【００１６】
本発明はかかる問題を解決し、ユーザにとっての簡易性が高い印刷システムであるところの記録データ生成システムを提供することにある。
【００１７】
さらには、これらの印刷システムを用いた印刷データ生成サービスをより簡易に運用することを目的とする。
【課題を解決するための手段】
【００１８】
本発明の一態様によれば、デジタルテレビ等の家電や通常のＰＣでの印刷の対象となるデータやブラウザ（閲覧ソフトウエア）画面データを上りの公衆回線に送り、インターネット上のサービスプロバイダー等のＷＷＷサーバー内に予め開設されているホームページ等を通じて、プリンタに応じた適切なデータを作成して、端末のブラウザにフィードバックし、印刷を行う手段を取る。
【００１９】
上記の構成を、改めて以下（１）〜（４）に整理して示す。
【００２０】
（１）インターネット上のウェブサーバーを用いて記録データを生成するシステムに於いて、
インターネット網上の特定のウェブサーバー内に、
データ受信部と、記録装置選択部と、記録方法設定部と、受信したデータと選択された記録装置と設定された記録方法の情報より記録データする記録データ作成部と、記録ボリューム算出部と、前記作成された記録データを送信する記録データ送信部とを有することを特徴とする記録データ生成システム。
【００２１】
（２）前記記録データ生成システムであって、前記記録ボリューム算出部での記録ボリュームとは、前記記録データ作成部より作成された記録データより印刷枚数であることを特徴とした上記（１）記載の記録データ生成システム。
【００２２】
（３）前記記録データ生成システムであって、前記記録ボリューム算出部での記録ボリュームとは、前記記録データ作成部より作成された記録データの総データ量であることを特徴とした上記（１）記載の記録データ生成システム。
【００２３】
（４）前記記録データ生成システムであって、前記記録ボリューム算出部は、現在処理中に生成された記録データに対する記録ボリュームと、これまでに算出された記録ボリュームと今回算出された記録ボリュームとの総和である累積記録ボリュームとを算出すること特徴とした上記（１）乃至（３）のいずれかに記載の記録データ生成システム。
【００２４】
［作用］
前記手段によれば、特にデジタルテレビ等の家電等に接続されているインターネット機器を用いた場合に、該インターネット機器にプリンタ接続の為のメモリの増設や複雑なコントロール部の増設を行うことなく、ネット上でデータ処理を行い、処理が施されたデータを再び端末側であるインターネット機器に反映させることにより簡単に印刷を提供できる。さらにＰＣ上のインターネットブラウザを用いた場合でも、簡単なプリンタドライバを搭載するだけで、ネット上でデータ処理を行う事が可能となる。
【００２５】
さらに端末に接続されるプリンタが変更になっても端末への新規のプリンタドライバのインストールを必要とせず、ユーザの手間を必要としない。
【００２６】
また、ネット上に本システムを提供するベンダーに必要な使用ユーザ毎の使用量の加算／総量を取得することにより、ユーザ毎の使用料金の算出システムを構築し易くなり結果として本サービスの普及を促し、ユーザへのメリットが提供できたり、また実際に使用しているユーザにインクの残量を告知し、ユーザの利便性を向上すること可能となる。
【発明の効果】
【００２７】
以上のように、本システムによれば、家電製品内に内蔵もしくは接続されたインターネットブラウザコントロール部やノートＰＣなどの端末よりインターネットに接続し、印刷制御ブラウザ上に表示された複数の記録装置機種名より、オペレータが実際に用いる記録装置機種名を選択し、さらに、選択した記録装置機種に応じた印字品位、色処理などの記録方法の設定を行うことが可能であり、かつ前記記録方法情報と別途指定された記録の元データより、インターネット上の特定のサーバー上で印刷データを作成して、端末等に送信し、さらに最終的にプリンタに送出して印字することが可能となり、端末に大量のメモリを必要とせず、従来と変わらぬ安定した印刷が提供できる。また端末に接続されるプリンタの機種が一旦設置した後変更になっても、変更前と変わらぬ手順でプリントが可能であり、従来のＰＣ系でのプリンタドライバインストールの手間やそれに伴う記憶装置でのメモリの確保が不要となる。また、本発明のような上記システムの構築により、印刷データ生成サービスが可能となる。その際印刷枚数カウンタを設けることで、個々のユーザの正確な印刷ボリュームが知ることができ、システム運営上必要な料金集計がの簡単にでき、システムの商業的運用が簡易となる。
【発明を実施するための最良の形態】
【００２８】
本発明の好ましい実施形態の詳細説明を添付の図面を参照することにより以下に行う。
【００２９】
（実施例１）
まず図２を用いて本発明のシステムの構成の概略を説明する。１３０１はごく一般的なパーソナルコンピュータ（ＰＣ）であり、モバイル型ＰＣ端末なども基本的には同様な構成である。ＰＣ１３０１はＢＩＯＳ１３１１つまりＰＣの初期起動と入出力を管理するプログラム、中央演算処理装置であるＣＰＵ１３１２、全ての入出力とＣＰＵ１３１２とを接続するバス１３１３、システム全ての構成を管理するＯＳ１３１４、本実施例の印刷データ汎用ドライバが格納されたり、ユーザーデータの保存を行うハードディスク１３１５、本発明の印刷データを一時格納するための汎用メモリ１３１６、通常のアプリケーションソフトウエア１３１７、マイクロソフトインターネットエキスプローラー等のブラウザアプリケーション１３１８、マウス、キーボード、ディスプレイ等、さらに一般のプリンタに使用される各種周辺装置ドライバ１３１９、ＰＣ１３０１とプリンタ１３０２を接続するＩＥＥＥ１２８４パラレルインターフェース、ＵＳＢ、ＩＥＥＥ１３９４，ＢｌｕｅＴｏｏｔｈ等のインターフェースドライバ１３２０、そして本実施例で使用される印刷データ汎用ドライバ１３２１などにより構成されている。パーソナルコンピュータ１３０１にはＩ／Ｆを介してプリンタ１３０２が接続されている。一方インターネット１３０６にはルーター及びハブ１３０３を介して、アクセスポイント１３０４に接続し、サービスプロバイダー内部１３０５、インターネット網１３０６が構成されている。
【００３０】
以上に図２のシステムブロック図を簡単に説明してきたが、次にフローチャート図３を用いて本発明のシステムの流れをブラウザ印刷を行う場合の具体的実施形態を説明する。
【００３１】
まずＳ１４００においてオペレータ情報入力のブラウザ画面（図５−１６００）を開く、このブラウザ画面１６００は予め開設されているＵＲＬを入力することによって表示される。つづいてＳ１４０１でユーザの名やパスワードなどの本システム使用の為の個人毎の情報を入力する。ユーザ名は本システム使用のための料金の支払い手段などの情報と共にあらかじめ登録しておく必要がある。ここで、入力した情報が正しくなければ、エラーになりユーザは本システムを使用できなくなる。Ｓ１４０１で入力情報が正しければＳ１４０２に進む。
【００３２】
Ｓ１４０２で印刷処理用のブラウザ画面（図５−１６０１）を開く。Ｓ１４０３に於いてオペレータが所望のＰＣの記憶装置に記憶されているデータファイル名を入力すると共にＰＣの記憶装置に記憶されているデータファイルの出力を前提としている。ここで言うデータファイルとは一般にＰＣ上で起動するアプリケーションによって表示／編集がファイルで、ＪＥＰＧ、ＴＩＦといった汎用画像ファイル、ＴＸＴやＨＴＭＬといった汎用的フォーマット形式のファイルの他、特有のアプリケーションと関連したデータファイルなどである。
【００３３】
その後、Ｓ１４０４で印刷処理用のブラウザ画面１６０１内のダイアログで下位階層のプリンタ選択ブラウザを選択し、Ｓ１４０５でプリンタ選択ブラウザ画面（図５−１６０２）でブラウザコントローラと現在接続されているプリンタ機種名を選択する。プリンタ機種名を選択するとＳ１４０６では、選択されたプリンタ名に応じた機種毎のプロパティ画面（図５−１６０３）が表示される。このプロパティ画面１６０３では機種固有の印刷品位、紙種サイズ、量子化手法／色処理方法等の印字条件設定およびユーティリティーと呼ばれるヘッドクリーニングやレジ調整等を実行するかなどが設定可能である。Ｓ１４０７でユーザは印刷条件の設定を行う。
【００３４】
Ｓ１４０８では、Ｓ１４０７で設定された印刷条件と共に、ＰＣの記憶装置に記憶されているデータファイル及び、ブラウザコントローラ本体のＩＰアドレスをあわせて、インターネット網にアップさせる。図２におけるルーター１３０３、公衆回線、アクセスポイント１３０４を経由してサービスプロバイダー１３０５内の特定のサーバーにアップさせたデータが届く。
【００３５】
そして最終的には、Ｓ１４０９に於いて、ＵＲＬアドレスが割り振られているＷＷＷＷサーバー内にある特定のホームページ内のインターネットプリント用サーバーソフトウエアが印字情報を受信する仕組みとなっている。
【００３６】
その後、受信したデータ情報に基づき、印刷用サーバーソフトウエアがＳ１４１０で印刷データの作成を行う。
【００３７】
Ｓ１４１０での制御内容を更に詳しく説明しているのが図４である。図４の制御内容を説明する。Ｓ１５０１ではＳ１４０８でアップされたデータファイルを取得し、Ｓ１５０２で所定のデータファイルに応じて、サーバー内に収納されている適切なアプリケーションを起動する。アプリケーションの起動後、サーバー内でＲＧＢ２４ビットデータに変換され、Ｓ１５０３により連続色調のＲＧＢ２４ビットデータが作成される。その後Ｓ１５０４で画像処理を行うが、これは公知のＰＣ上でのプリンタドライバでの画像処理と同等の処理が施される。つまり、従来の技術において説明した様に、ＲＧＢ２４ビットの連続色調のデータに対してガンマ補正やソース補正などの入力補正を行い、ＣＭＹ２４ビットデータの変換した後、黒抽出を行いＣＭＹＫ３２ビットデータに変換される。その後、２値化作業が誤差拡散法やディザ処理を行うのと同時に施されＹＭＣＫの２値化データがプリンタの受信形態に合わせて作成される。要するに、印刷用サーバーソフトウエア内の処理は従来のＰＣで行っていたプリント用印刷データの作成手順と殆ど同じ処理が施されＹＭＣＫの２値化データが完成する（Ｓ１５０５）。
【００３８】
その後、図３に戻り、Ｓ１４１１において、印刷枚数をカウントにより、印刷ボリュームが算定される。さらにＳ１４１２に於いて、印刷用サーバーソフトウエア内で作成されたデータを公衆回線を通じてＩＰアドレスを参照しつつ、ＰＣ１３０１に送出される。
【００３９】
その後、Ｓ１４１３でＰＣ１３０１内のブラウザアプリケーション１３１８が受信したデータを印刷汎用ドライバ１３２１に引渡し、ポートモニター等のＩ／Ｆドライバ１３２０にデータを直接送出してプリンタ１３０２にデータが送信される。その後、Ｓ１４１４においてプリンタ１３０２に於いて印刷が開始される。ここでの印刷データ汎用ドライバとは、一般のＰＣに格納されているプリンタドライバとは異なり、入力されたデータを単にＩ／Ｆドライバに送出する機能とプリンタからのデータを受信する機能のみを兼ね備えた単純な汎用的なドライバである。通常のドライバは各種色処理やデータ処理を行う機能までを兼ね備えているのに対して、本発明における印刷データ汎用ドライバは多機種のプリンタに対応するための入出力のコントロールのみに特化したドライバである。尚、印刷データ汎用ドライバは入出力に特化しているためにデータの形式やプリンタの種類によって変更する必要がない。
【００４０】
以上のように、本システムによれば、家電製品内に内蔵もしくは接続されたインターネットブラウザコントロール部やノートＰＣなどの端末よりインターネットに接続し、印刷制御ブラウザ上に表示された複数の記録装置機種名より、オペレータが実際に用いる記録装置機種名を選択し、さらに、選択した記録装置機種に応じた印字品位、色処理などの記録方法の設定を行うことが可能であり、かつ前記記録方法情報と別途指定された記録の元データより、インターネット上の特定のサーバー上で印刷データを作成して、端末等に送信し、さらに最終的にプリンタに送出して印字することが可能となり、端末に大量のメモリを必要とせず、従来と変わらぬ安定した印刷が提供できる。また端末に接続されるプリンタの機種が一旦設置した後変更になっても、変更前と変わらぬ手順でプリントが可能であり、従来のＰＣ系でのプリンタドライバインストールの手間やそれに伴う記憶装置でのメモリの確保が不要となる。
【００４１】
一方、以上のような印刷システムを用いて、印刷データ生成サービスが可能となる。その際、サービス管理者は商売としてユーザからプリントボリュームに応じた料金を徴収することとなる。その際、図６に示すフォローチャートに従い、料金を算定を行う。
【００４２】
Ｓ２００１では、Ｓ１４１１により得られた印刷ボリュームＮを取得する。つづいてＳ２００２では別途作成されているルックアップテーブルを参照する。このルックアップテーブルは印刷ボリュームＮを入力として使用料金Ｍを返すものである。Ｓ２００３で印刷ボリュームＮに応じた料金Ｍが決定される。その後、不図示ではあるがＳ１４０１で得られたユーザＡへの料金請求を行う。
【００４３】
以上のように、印刷枚数カウンタを設けることで、個々のユーザの正確な印刷ボリュームが知ることができ、サービス運営上必要な料金集計が簡単にでき、サービスの商業的運用が簡易となる。
【００４４】
またここでは、Ｓ１４１１における印刷ボリュームの算定を、印刷枚数のカウントにより、行っている例をあげたが他の例として生成された印刷データのデータ総量や送信データ（パケット量）の総量を印刷ボリュームの算定に用いても良い。
【００４５】
（実施例２）
上記実施例１では算定した印刷ボリュームをユーザへの使用料金集計に用いていたが、他の場合も考えられる。図７にフローチャートを示す。実際の運用ステップとしては図３のステップＳ１４１１とＳ１４１２の間で処理を行うのがよい。
【００４６】
Ｓ２１０１でＳ１４１１により得られた印刷ボリュームＮを取得する。つづいてＳ２１０２でユーザ別の累積印刷ボリュームＴに今回の印刷ボリュームＮを加算する。Ｓ２１０３では累積印刷ボリュームＴが閾値Ｔｈより上かを判断する。判断結果が真ならＳ２１０４でＷｅｂ画面上でユーザへのインク残量の警告を通知し、偽ならそのまま、Ｓ２１０５で元のフローに戻る。
【００４７】
印刷ボリュームが解ることから、使用しているプリンタのインク残量を予想でき、一定量のインクが使用されたと判断した場合、ユーザにインク残量を知らせることが可能となる。
【００４８】
ここでは、一つの閾値と累積印刷ボリュームとの比較を行っているが、この閾値を多段階に設定して、インク残量を多段階にユーザに知らせることも出来る。またインクタンク交換時などタイミングにおいて何らかの手段で累積印刷ボリュームのリセットを行って運用してもよい。
【図面の簡単な説明】
【００４９】
【図１】ＷｅｂＴＶとインターネット網とのシステム図
【図２】本発明の実施例１を表しているシステム図
【図３】本発明実施例１のフローチャート
【図４】本発明本実施例１でのフローチャートの一部
【図５】一部本発明実施例１で使用されるブラウザ画面を示す図
【図６】一部本発明実施例１でのフローチャートの一部
【図７】一部本発明実施例２でのフローチャートの一部
【符号の説明】
【００５０】
８０１  ＷｅｂＴＶＢｏｘ
８０２  ＴＶ（テレビ）
８０３  インターネット網
８０４  ルーター及びハブ
８０５  プリンタ
１３０１  ＰＣ（パーソナルコンピュータ）
１３０２  プリンタ
１３０３  ルーター及びハブ
１３０４  アクセスポイント
１３０５  サービスプロバイダー
１３０６  インターネット網
１３１１  ＢＩＯＳ
１３１２  ＣＰＵ
１３１３  コンピュータバス
１３１４  ＯＳ
１３１５  ハードディスク
１３１６  汎用メモリ
１３１７  アプリケーションソフトウエア
１３１８  ブラウザアプリケーション
１３１９  各種周辺装置ドライバ
１３２０  Ｉ／Ｆドライバ
１３２１  印刷データ汎用ドライバ
【図１】
2005038147.tif 000003
【図２】
2005038147.tif 000004
【図３】
2005038147.tif 000005
【図４】
2005038147.tif 000006
【図５】
2005038147.tif 000007
【図６】
2005038147.tif 000008
【図７】
2005038147.tif 000009